(57)【特許請求の範囲】
【請求項１】
特別高圧用検電器により課電試験を行う対象の特別高圧の周波数である５０Ｈｚまたは６０Ｈｚに略々等しい周波数である５０Ｈｚまたは６０Ｈｚあるいはこれらの中間値である５５Ｈｚの正弦波を発生する正弦波発振回路と、
上記正弦波発振回路により発生された正弦波を増幅する増幅回路と、
上記増幅回路により増幅された正弦波を昇圧するとともに、一方の出力端が特別高圧用検電器の検知子に接続され、他方の出力端が該特別高圧用検電器の筐体を包む導電性シートに接続される昇圧トランスと
を備え、
上記導電性シートは、柔軟性、可撓性及び導電性を有する導電性ゴムまたは導電性布により形成され、上記特別高圧用検電器の筐体を包んだときに、この特別高圧用検電器の電流検知素子との間に、この電流検知素子と大地との間の浮遊静電容量よりも大きな静電容量が確保されるよう構成されてなる
ことを特徴とする特別高圧用検電器チェッカ。
【請求項２】
特別高圧用検電器により課電試験を行う対象の特別高圧の周波数に略々等しい周波数の正弦波を昇圧トランスにより昇圧させ、
上記昇圧トランスの一方の出力端を特別高圧用検電器の検知子に接続させ、
上記昇圧トランスの他方の出力端を上記特別高圧用検電器の筐体を包んだ導電性シートに接続させ、
上記特別高圧用検電器の電流検知素子と上記導電性シートとの間に、特別高圧検電器により課電試験をする場合の浮遊静電容量よりも大きな静電容量を確保した状態で、該特別高圧用検電器の検知子に上記昇圧トランスにより上記正弦波を印加し、該特別高圧用検電器の動作をチェックする
ことを特徴とする特別高圧用検電器のチェック方法。
【発明の詳細な説明】
【０００１】
本発明は、特別高圧用検電器の動作をチェックする特別高圧用検電器チェッカ及び特別高圧用検電器のチェック方法に関する。
【０００２】
【従来の技術】
従来、高圧送電線などの特別高圧電路の課電を試験し、それが活線（充電中）であるか死線（停電中）であるかを表示する特別高圧用検電器が使用されている。このような特別高圧用検電器は、図７に示すように、作業者１０１が、この特別高圧用検電器１０２を把持して、高圧送電線などの特別高圧電路１０３に対し、この特別高圧用検電器１０２の検知子１０４を接触させることによって使用する。
【０００３】
なお、作業者１０１は、特別高圧電路１０３を支持する鉄塔１０５などに登った状態で、長尺の支持棒１０６を介して特別高圧用検電器１０２を支持して、この特別高圧用検電器１０２を使用する。
【０００４】
この特別高圧用検電器１０２は、図８に示す等価回路に示すように、検知子１０４に接続された電流検知素子１０７を有して構成されている。この特別高圧用検電器１０２において、検知子１０４が特別高圧電路１０３に接触されると、この特別高圧電路１０３の対地電圧Ｅが検知子１０４を介して電流検知素子１０７に印加され、この電流検知素子１０７には、この電流検知素子１０７と大地との間の浮遊静電容量（Ｃ）１０８に応じて、検知子１０４を通じて、微小電流Ｉが流れる。そして、この特別高圧用検電器１０２は、電流検知素子１０７に流れる微小電流Ｉを検出し、この検出結果に応じて、特別高圧電路１０３が活線（充電中）であるか死線（停電中）であるかを表示する
【０００５】
そして、従来、このような特別高圧用検電器の動作状態の良否をチェックする特別高圧用検電器チェッカとしては、圧電素子を使用してパルス状の高電圧を発生させ、この高電圧を特別高圧用検電器の検知子に印加するように構成されたものがある。すなわち、この特別高圧用検電器チェッカを用いて、検知子に高電圧を印加したときに、特別高圧用検電器の表示が「活線である」ことを示すものとなれば、この特別高圧用検電器は正常に動作していると判断される。
【０００６】
【発明が解決しようとする課題】
ところで、上述のような、圧電素子を使用してパルス状の高電圧を発生させる特別高圧用検電器チェッカにおいては、商用周波数（５０Ｈｚ乃至６０Ｈｚの正弦波）の電圧による動作確認はできないため、検電器の動作状態を正しく判断することには適していない。
【０００７】
そこで、商用周波数（５０Ｈｚ乃至６０Ｈｚの正弦波）の電圧を検知子に印加して特別高圧用検電器の動作確認を行うようにした特別高圧用検電器チェッカが考えられる。
【０００８】
しかしながら、このような特別高圧用検電器チェッカは、動作確認のための電圧として、特別高圧電路の対地電圧と同程度の高電圧を発生させなければならない。すると、このような特別高圧用検電器チェッカは、大きな出力トランス（変圧器）を備えて構成されることとなり、装置全体も大型化し、容易に携帯できる大きさではなくなってしまう。例えば、このような特別高圧用検電器チェッカは、トランクケース程度の大きさになってしまい、携帯が困難な装置となってしまう。
【０００９】
特別高圧用検電器の動作確認は、課電試験の直前に行うことが基本である。そのため、特別高圧用検電器チェッカは、特別高圧用検電器を使用する場所、すなわち、特別高圧電路の近傍、場合によっては、鉄塔の上などにも持ち運ぶ必要がある。
【００１０】
そこで、本発明は、上述の実情に鑑みて提案されたものであって、小形、軽量で、携帯に便利で、課電試験の作業現場まで容易に持ち運ぶことができ、かつ、商用周波数（５０Ｈｚ乃至６０Ｈｚの正弦波）の試験電圧により特別高圧用検電器の動作確認を行うことができる特別高圧用検電器チェッカ及び特別高圧用検電器のチェック方法を提供しようとするものである。
【００１１】
【課題を解決するための手段】
本発明は、上記目的を達成するために提案されたものであって、第１の発明（請求項１記載の発明）は、特別高圧用検電器により課電試験を行う対象の特別高圧の周波数である５０Ｈｚまたは６０Ｈｚに略々等しい周波数である５０Ｈｚまたは６０Ｈｚあるいはこれらの中間値である５５Ｈｚの正弦波を発生する正弦波発振回路と、この正弦波発振回路により発生された正弦波を増幅する増幅回路と、増幅回路により増幅された正弦波を昇圧するとともに一方の出力端が特別高圧用検電器の検知子に接続され他方の出力端が該特別高圧用検電器の筐体を包む導電性シートに接続される昇圧トランスとを備えたものである。
【００１２】
さらに、この第１の発明に係る特別高圧用検電器チェッカは、導電性シートは、柔軟性、可撓性及び導電性を有する導電性ゴムまたは導電性布により形成され、上記特別高圧用検電器の筐体を包んだときに、この特別高圧用検電器の電流検知素子との間に、この電流検知素子と大地との間の浮遊静電容量よりも大きな静電容量が確保されるよう構成されてなることを特徴とするものである。
この特別高圧用検電器チェッカにおいては、課電試験の対象となる特別高圧電路の対地電圧が、例えば、商用周波数（５０Ｈｚ乃至６０Ｈｚ）の電圧である場合において、この特別高圧電路について課電試験を行うのと同様の条件で、特別高圧用検電器の動作確認を行うことができる。
【００１３】
すなわち、この第１の発明に係る特別高圧用検電器チェッカにおいては、特別高圧用検電器の電流検知素子と導電性シートとの間に所定の静電容量が確保されていることにより、昇圧トランスから出力され特別高圧用検電器の検知子に印加される電圧が、課電試験の対象となる特別高圧電路の対地電圧より低くても、この特別高圧電路について課電試験を行うのと同様の条件で、特別高圧用検電器の動作確認を行うことができる。
【００１４】
また、第２の発明（請求項２記載の）発明は、特別高圧用検電器により課電試験を行う対象の特別高圧の周波数に略々等しい周波数の正弦波を昇圧トランスにより昇圧させ、昇圧トランスの一方の出力端を特別高圧用検電器の検知子に接続させ、昇圧トランスの他方の出力端を上記特別高圧用検電器の筐体を包んだ導電性シートに接続させ、特別高圧用検電器の電流検知素子と導電性シートとの間に特別高圧検電器により課電試験をする場合の浮遊静電容量よりも大きな静電容量を確保した状態で、該特別高圧用検電器の検知子に昇圧トランスにより正弦波を印加し、該特別高圧用検電器の動作をチェックすることを特徴とするものである。
【００１９】
【発明の実施の形態】
以下、本発明の一実施の形態に係る特別高圧用検電器チェッカを、図面を参照しながら詳細に説明する。
【００２０】
この実施の形態に係る特別高圧用検電器チェッカは、特別高圧電路の課電試験を行う特別高圧用検電器の動作確認（チェック）を行うための装置であって、図１に示すように、外筐体１を有して構成された本体部２を備えている。この本体部２には、特別高圧用検電器の動作確認用の電圧を発生する電子回路部が収納されている。そして、この本体部２には、動作確認用の電圧を外部へ出力するための高圧リード線３及びアース線４が取付けられている。さらに、この本体部２は、外筐体１の外面部に、動作確認を開始させるための動作スイッチ５及び動作状態を表示するための動作表示灯６を備えている。
【００２１】
そして、上記本体部２内の電子回路部は、図２に示すように、正弦波発振回路７と、この正弦波発振回路７により発生された正弦波を増幅する増幅回路８と、この増幅回路８により増幅された正弦波をさらに昇圧する昇圧トランス９とを備えている。
【００２２】
上記正弦波発振回路７は、特別高圧用検電器が課電試験を行う対象の電圧の周波数に略々等しい周波数、例えば、商用周波数である５０Ｈｚ、または、６０Ｈｚ、あるいは５０Ｈｚと６０Ｈｚの中間値である５５Ｈｚの正弦波を発振する。昇圧トランス９は、増幅回路８で増幅された正弦波を、約２０００Ｖの高電圧まで昇圧して、出力端子１０，１１より出力する。
【００２３】
これら各回路及び動作表示灯６の電源は、乾電池１０によって、動作スイッチ５を介して供給される。すなわち、この特別高圧用検電器チェッカにおいては、動作スイッチ５を押すことにより、高電圧の動作確認用電圧が出力され、動作表示灯６が点灯される。なお、この本体部２は、約５００ｇ程度の重量の装置として構成することができる。
【００２４】
また、上記高圧リード線３及びアース線４は、本体部２の出力端子１０，１１に対して着脱可能となっている。高圧リード線３及びアース線４が着脱可能であることにより、収納時、持運び時の取扱いが容易となっているとともに、高圧リード線３及びアース線４の断線時における修理（交換）が容易となっている。これら高圧リード線３及びアース線４の基端側には、本体部２の出力端子１０，１１に適合する棒状端子が取付けられている。また、高圧リード線３の先端側には、図１に示すように、特別高圧用検電器の検知子に接続するためのクリップ３ａが取付けられている。アース線４の先端側には、アース電極となる本発明に係る検電器チェッカ用導電性シート（以下、「導電性シート」という。）１２に接続するためのクリップ４ａが取付けられている。
【００２５】
導電性シート１２は、図３及び図４に示すように、導電性ゴムや導電性布など柔載性、可撓性お導電性に優れたシート状の材料からなるシート状部分１３と、このシート状部分１３に設けられた掛止部材とを有している。この掛止部材としては、例えば、シート状部分１３の表裏に対をなして縫いつけられた面ファスナー１４ａ，１４ｂなどを使用することができる。
【００２６】
そして、この導電性シート１２は、特別高圧用検電器の電流検知素子を内蔵する本体部２の外筐体１に容易に巻き付けられて、この外筐体１を包み、掛止部材によって、該外筐体１を包んだ状態を維持できるようになっている。この導電性シート１２の特別高圧用検電器の外筐体１への着脱は、容易に行うことができる。
【００２７】
そして、上記導電性シート１２は、特別高圧用検電器の外筐体１を包んだときに、この特別高圧用検電器の電流検知素子との間に、特別高圧検電器により課電試験をする場合の浮遊静電容量よりも大きな静電容量が確保されるようになっている。
【００２８】
この特別高圧用検電器チェッカを用いて、特別高圧用検電器の動作確認を行うには、図５に示すように、昇圧トランス９の一方の出力端に接続された高圧リード線３のクリップ３ａを、特別高圧用検電器１０２の検知子１０４に接続する。また、導電性シート１２によって特別高圧用検電器１０２の外筐体１を包んでおき、昇圧トランス９の他方の出力端に接続されたアース線４のクリップ４ａを、導電性シート１２に接続する。
【００２９】
そして、動作スイッチ５を押圧して特別高圧用検電器１０２の検知子１０４に高電圧の正弦波を印加し、特別高圧用検電器１０２の電流検知素子と導電性シート１２との間に所定の静電容量を確保した状態で、この特別高圧用検電器１０２の動作をチェックする。
【００３０】
このようにして、動作確認を行っている状態においては、図６に示す等価回路に示すように、昇圧トランス９と特別高圧用検電器１０２の電流検知素子１０７との間に、導電性シート１２及び特別高圧用検電器１０２の筐体による大きな静電容量が確保されている状態となっている。
【００３１】
すなわち、この特別高圧用検電器チェッカを用いて特別高圧用検電器の動作確認を行っている状態においては、図８に示す特別高圧用検電器１０２の課電試験時における等価回路中の浮遊静電容量１０８に代えて、大きな静電容量が確保されている状態となっている。したがって、この特別高圧用検電器チェッカにおいては、検知子１０４に印加される電圧が、特別高圧電路の対地電圧に相当する電圧に比較して小さくても、検知子１０４を通じて流れる電流を確保でき、特別高圧用検電器１０２の動作確認ができるのである。
【００３２】
また、図８における浮遊静電容量１０８と、この浮遊静電容量に代えて図６において確保される静電容量の比がｎであれば、検知子１０４に印加すべき試験電圧は、特別高圧電路の対地電圧の１／ｎで良いことになる。すなわち、特別高圧電路の対地電圧よりずっと低い電圧で、特別高圧用検電器の動作確認を行うことができる。この特別高圧用検電器チェッカにおいては、特別高圧用検電器の電流検知素子１０７を内蔵する本体部分をアース電極となっている導電性シート１２により包んでいることによって、図８における浮遊静電容量１０８に代わる大きな静電容量が確保されている。
【００３３】
このようにして、本発明に係る特別高圧用検電器チェッカにおいては、商用周波数（５０Ｈｚ乃至６０Ｈｚの正弦波）の所定電圧の出力電圧を用いて、特別高圧用検電器の動作確認を行うことができ、出力電圧を低くできることによって、昇圧トランスを小形化でき、装置全体の小型化、軽量化も可能である。
【００３４】
【発明の効果】
上述のように、本発明に係る特別高圧用検電器チェッカ及び特別高圧用検電器チェック方法においては、特別高圧用検電器の電流検知素子と導電性シートとの間に、特別高圧検電器により課電試験をする場合の浮遊静電容量よりも大きな静電容量を確保した状態で、該特別高圧用検電器の検知子に高電圧の正弦波を印加し、該特別高圧用検電器の動作をチェックすることができる。
【００３５】
すなわち、この特別高圧用検電器チェッカ及び特別高圧用検電器チェック方法においては、特別高圧用検電器の電流検知素子と導電性シートとの間に所定の静電容量が確保されていることにより、昇圧トランスから出力され特別高圧用検電器の検知子に印加される電圧が、課電試験の対象となる特別高圧電路の対地電圧より低くても、この特別高圧電路について課電試験を行うのと同様の条件で、特別高圧用検電器の動作確認を行うことができる。
【００３６】
また、昇圧トランスから出力される電圧が低くてもよいことは、この特別高圧用検電器チェッカを小型化、軽量化し、携帯に便利で課電試験の作業現場まで容易に持ち運ぶことができる装置とすることを可能とし、作業安全性を飛躍的に向上させることができる。
【００３７】
また、上記特別高圧用検電器チェッカにおいては、正弦波発振回路により発生される正弦波の周波数が、特別高圧用検電器が課電試験を行う対象の電圧の周波数に略々等しい周波数とされていることから、例えば、商用周波数（５０Ｈｚ乃至６０Ｈｚ）の電圧について課電試験を行う特別高圧用検電器の動作確認をも良好に行うことができる。
【００３８】
すなわち、本発明は、小形、軽量で、携帯に便利で、課電試験の作業現場まで容易に持ち運ぶことができ、かつ、商用周波数（５０Ｈｚ乃至６０Ｈｚの正弦波）の試験電圧により特別高圧用検電器の動作確認を行うことができる特別高圧用検電器チェッカ及び特別高圧用検電器チェック方法を提供することができるものである。
【図面の簡単な説明】
【図１】本発明に係る特別高圧用検電器チェッカの外観を示す斜視図である。
【図２】上記特別高圧用検電器チェッカの構成を示すブロック図である。
【図３】上記特別高圧用検電器チェッカにおいて使用される検電器チェッカ用導電性シートの構成を示す平面図である。
【図４】上記検電器チェッカ用導電性シートの構成を示す側面図である。
【図５】上記特別高圧用検電器チェッカにより特別高圧用検電器の動作確認をしている状態を示す平面図である。
【図６】上記特別高圧用検電器チェッカにより特別高圧用検電器の動作確認をしている状態における等価回路を示す回路図である。
【図７】特別高圧用検電器の使用状態を示す側面図である。
【図８】特別高圧用検電器の使用状態における等価回路を示す回路図である。
【符号の説明】
１    筐体
２    本体部
３    高圧リード線
４    アース線
５    動作スイッチ
７    正弦波発振回路
８    増幅回路
９    昇圧トランス
１０，１１    出力端子
１２    導電性シート
【図１】
0004384381.tif 000002
【図２】
0004384381.tif 000003
【図３】
0004384381.tif 000004
【図４】
0004384381.tif 000005
【図５】
0004384381.tif 000006
【図６】
0004384381.tif 000007
【図７】
0004384381.tif 000008
【図８】
0004384381.tif 000009